(57)【要約】【課題】効果的データ・チャネル選択および切替技術を介してデータ・チャネルをエンド・ユーザに伝送する、デジタル・ネットワーキング・システムを提供する。【解決手段】デジタル・ネットワーキング・システムのライン・カード用の集積回路装置は、少なくとも１つの顧客宅内機器（ＣＰＥ）装置から送られた要求データ・チャネルに対応する、１つまたはそれ以上の制御メッセージをインターセプトすることができる。集積回路装置はまた、デジタル・ネットワーキング・システムのデータ・サーバから複数のデータ・チャネルを受信し、かつ少なくとも１つのＣＰＥ装置に１つまたはそれ以上の要求データ・チャネルを提供し、それによってより高速のデータ・チャネル選択および切替能力を提供することができる。【選択図】図１
2006157931.tif 000002
【特許請求の範囲】
【請求項１】
デジタル・ネットワーキング・システムのライン・カードで使用するための集積回路装置であって、１つまたはそれ以上の要求データ・チャネルに対応する少なくとも１つの顧客宅内機器（ＣＰＥ）装置からの１つまたはそれ以上の制御メッセージをインターセプトし、デジタル・ネットワーキング・システムのデータ・サーバから複数のデータ・チャネルを受信し、かつ前記１つまたはそれ以上の要求データ・チャネルを前記少なくとも１つのＣＰＥ装置に提供することのできる集積回路装置。
【請求項２】
前記少なくとも１つのＣＰＥ装置のデータ・チャネル要求を管理するテーブルを含む、請求項１に記載の集積回路装置。
【請求項３】
アップリンク・カードのバックプレーン装置と通信するように適応されかつ前記集積回路装置に複数のデータ・チャネルを提供することのできる、ライン・カードのバックプレーン装置と通信するように適応された、請求項１に記載の集積回路装置。
【請求項４】
前記少なくとも１つのＣＰＥ装置に関連して１つまたはそれ以上のモデムと通信するために、１つまたはそれ以上のモデム・ステーションと通信するように適用された、請求項１に記載の集積回路装置。
【請求項５】
１つまたはそれ以上の要求データ・チャネルに対応する少なくとも１つの顧客宅内機器（ＣＰＥ）装置からの１つまたはそれ以上の制御メッセージをインターセプトし、デジタル・ネットワーキング・システムのデータ・サーバから複数のデータ・チャネルを受信し、かつ前記１つまたはそれ以上の要求データ・チャネルを前記少なくとも１つのＣＰＥ装置に提供することのできる集積回路装置を含む少なくとも１つのライン・カードを備えた、デジタル・ネットワーキング・システムのネットワーク・ノードで使用するための装置。
【請求項６】
複数のデータ・チャネルを送信することのできるデータ・サーバと、
要求データ・チャネルに各々対応する１つまたはそれ以上の制御メッセージを送信することのできる少なくとも１つの顧客宅内機器（ＣＰＥ）装置と、
前記少なくとも１つのＣＰＥ装置からの１つまたはそれ以上の制御メッセージをインターセプトし、前記データ・サーバから複数のデータ・チャネルを受信し、かつ前記１つまたはそれ以上の要求データ・チャネルを前記少なくとも１つのＣＰＥ装置に提供することのできる集積回路装置を含む少なくとも１つのライン・カードを備えた少なくとも１つのネットワーク・ノードと、
を備えたデジタル・ネットワーキング・システム。
【請求項７】
デジタル・ネットワーキング・システムで顧客宅内機器（ＣＰＥ）装置にデータ・チャネルを提供する方法であって、
ネットワーク・ノードの１つまたはそれ以上のライン・カードでデジタル・ネットワーキング・システムのデータ・サーバから複数のデータ・チャネルを受信するステップと、
ＣＰＥ装置からの要求データ・チャネルに各々対応する１つまたはそれ以上の制御メッセージを１つまたはそれ以上のライン・カードでインターセプトするステップと、
前記ライン・カードから前記ライン・カードの集積回路装置を通して前記１つまたはそれ以上のＣＰＥ装置に１つまたはそれ以上の要求データ・チャネルを提供するステップと、
を含む方法。
【請求項８】
前記ライン・カードの前記集積回路装置によって維持された、要求データ・チャネルおよび要求ＣＰＥ装置に関連するテーブルを動的に更新するステップ、
をさらに含む、請求項７に記載の方法。
【請求項９】
前記テーブルを動的に更新するステップは、
１つまたはそれ以上のＣＰＥ装置がイネーブルされたときを決定するステップと、
１つまたはそれ以上のイネーブルされたＣＰＥ装置装置によって要求された１つまたはそれ以上のデータ・チャネルを追跡するステップと、
を含む、請求項８に記載の方法。
【請求項１０】
前記複数のデータ・チャネルを受信するステップは、データ・サーバから前記ライン・カードと通信しているネットワーク・ノードのアップリンク・カードを通して複数のデータ・チャネルを受信するステップをさらに含む、請求項７に記載の方法。
【発明の詳細な説明】
【技術分野】
【０００１】
本発明は、一般的にデジタル・ネットワーキング・システムの分野に関し、さらに詳しくは、デジタル・ネットワークにおいてエンド・ユーザにデータ・チャネルを提供するための改善された技術に関する。
【背景技術】
【０００２】
伝統的なデータ・チャネル伝送技術は例えば、デジタル加入者線アクセス・マルチプレクサ（ＤＳＬＡＭ）ネットワークで使用することのできる、データ・チャネル・マルチキャスティングを含む。ＤＳＬＡＭネットワークは、端末または他のエンドポイントのエンド・ユーザに、上流の発信元から受信するデータのストリームまたはデータ・チャネルを切り替える能力を提供する。ＤＳＬＡＭネットワークは一般的に、例えば多数の映像チャネルはもとより、ユーザ・データ、音声、およびゲーミング・トラフィックに関係するチャネルのような、様々な異なる型のデータ・チャネルに対応するように設計される。ＤＳＬＡＭプラットフォームのエンドポイントは、住宅または職場のモデムを介してネットワークによって一般的にアクセスされる、顧客宅内機器（ＣＰＥ）装置である。ＣＰＥ装置は例えばテレビ、コンピュータ、パーソナル・デジタル・アシスタント（ＰＤＡ）、電話、または他の型の通信端末を含むことができる。ＤＳＬＡＭネットワークは、同時にエンド・ユーザがデータ、音声、およびゲーミング・チャネルを使用することを可能にしながら、利用可能なチャネルのいずれかのエンド・ユーザへの配信を可能にする。
【０００３】
エンド・ユーザは、一時に同報通信している１組のチャネルから１つのデータ・チャネルを選択することができる。インターネット・グループ・マルチキャスト・プロトコル（ＩＧＭＰ）信号は従来、エンド・ユーザのＣＰＥ装置からＤＳＬＡＭネットワークを介して、ブロードバンド・リモート・アクセス・サーバ（Ｂ−ＲＡＳ）へＩＧＭＰ制御メッセージを送信することによって、このチャネル選択を達成するために使用されてきた。チャネル選択は、新しく選択されたチャネルへの切替を達成するために、上流に伝達される。信号はＣＰＥ装置から、ネットワークを介してＢ−ＲＡＳへ伝わらなければならないので、チャネル変更を達成するのに要する時間は通常かなり長い。中央局（ＣＯ）を利用するＤＳＬＡＭアプリケーションでは、ネットワークのＣＯがＩＧＭＰ制御メッセージをポーリングする。ＣＯは多数のＣＰＥをサポートすることができるので、したがってＩＧＭＰのコンソリデーションは、システムの効率に対しかなりの課題を提示する。
【０００４】
チャネル切替時間およびＩＧＭＰ制御メッセージのコンソリデーションの問題を解決する試みは結果的に、ＣＯのアップリンク・カードにおけるソフトウェア制御式の選択チャネル切替の使用をもたらした。そのような試みでは、人気が高いとみなされている映像チャネルをアップリンク・カードで受信し、それによってエンド・ユーザの要求を予測することによって、チャネル切替時間を低減する。人気の高いチャネルのこの部分集合内のチャネル間のチャネル切替速度は増大する。しかし、人気が高いとみなされず、アップリンク・カードで受信されたことのないチャネルに接続するため、または切り替えるために要する時間は、依然としてかなり長いままである。これは、チャネルをＣＯのアップリンク・カードへ送信しかつそこで受信することができるように、人気の無いチャネルに対するＩＧＭＰ制御メッセージがＢ−ＲＡＳに戻るという事実による。
【０００５】
これらの試みはまた、結果的にＣＯ内の追加遅延をも生じる。ＣＯ内のライン・カードはアップリンク・カードに制御メッセージを送り、アップリンク・カードは制御メッセージを処理する。上流機器からのデータ・チャネルの単純なブロードキャストの代わりに、ＣＯでは複雑な切替が要求されるという事実のため、この伝送には遅延が発生する。最後に、ネットワーク内の接続性を確実にするために、ＩＧＭＰ制御メッセージはＣＰＥ装置からも周期的に発生する。この接続性検査は、ネットワークに制御メッセージをフラッディングさせる可能性を有する。
【０００６】
したがって、デジタル・ネットワーキング・システムのチャネルのより高速の選択および切替を可能にする技術のみならず、ネットワークで送られる制御メッセージの数を低減する技術が依然として求められている。
【発明の開示】
【発明が解決しようとする課題】
【０００７】
本発明は例示的実施形態で、効果的データ・チャネル選択および切替技術を介してデータ・チャネルをエンド・ユーザに伝送する、デジタル・ネットワーキング・システムを提供する。
【課題を解決するための手段】
【０００８】
本発明の１態様では、デジタル・ネットワーキング・システムのライン・カード用の集積回路装置は、１つまたはそれ以上の要求データ・チャネルに対応する、少なくとも１つのＣＰＥ装置からの１つまたはそれ以上の制御メッセージを、インターセプトすることができる。集積回路装置はまた、デジタル・ネットワーキング・システムから複数のデータ・チャネルを受信し、かつ１つまたはそれ以上の要求データ・チャネルを少なくとも１つのＣＰＥ装置に提供することができる。
【０００９】
デジタル・ネットワーキング・システムのネットワーク・ノードで使用される本発明のこの態様に係る装置は、少なくとも１つのライン・カードを備える。ライン・カードは、１つまたはそれ以上の要求データ・チャネルに対応する、少なくとも１つのＣＰＥ装置からの１つまたはそれ以上の制御メッセージをインターセプトすることのできる、集積回路装置を備える。集積回路装置はまた、デジタル・ネットワーキング・システムのデータ・サーバから複数のデータ・チャネルを受信し、かつ１つまたはそれ以上の要求されたチャネルをＣＰＥ装置に提供することもできる。
【００１０】
本発明のこの態様に係るデジタル・ネットワーキング・システムにおいてデータ・チャネルをＣＰＥ装置に提供する方法は、デジタル・ネットワーキング・システムのデータ・サーバから、複数のデータ・チャネルを１つまたはそれ以上のライン・カードの各々で受信することを含む。各々ＣＰＥ装置からの要求データ・チャネルに対応する、１つまたはそれ以上の制御メッセージは、１つまたはそれ以上のライン・カードでインターセプトされる。１つまたはそれ以上の要求データ・チャネルは、ライン・カードからライン・カードの集積回路装置を介して少なくとも１つのＣＰＥ装置に提供される。
【００１１】
本発明の例示的実施形態は、好都合にも、より高速のチャネル選択および切替を確実にする。各データ・チャネルはＤＳＬＡＭ中央局および個々のライン・カードへ送られるので、チャネル切替の時間遅延は、全ての利用可能なデータ・チャネルに対し同一である。本発明の実施形態は、大容量のバックプレーン装置およびアクセス・ネットワークを利用することができる。ライン・カードで制御メッセージをインターセプトすることにより、このアーキテクチャは、ＣＯと遠端データ・サーバつまりＢ−ＲＡＳとの間の通信遅延を解消する。チャネル切替を達成するのに関係する処理遅延も低減される。最後に、本発明の実施形態は、制御メッセージがネットワークをフラッディングさせることを防止する。
【００１２】
本発明のこれらならびに他の目的、特徴、および利点は、添付の図面に関連して読むべき、その例示的実施形態の以下の詳細な説明から明らかになるであろう。
【発明を実施するための最良の形態】
【００１３】
以下で詳述するように、本発明は例示的実施形態では、一般的にデジタル・ネットワーキング・システムの分野に関し、さらに詳しくは、デジタル・ネットワークでエンド・ユーザにデータ・チャネルを提供するための改善された技術に関する。
【００１４】
最初に図１を参照すると、図は本発明の実施形態に係るＤＳＬＡＭネットワークを示す。複数のデータ・チャネル、例えば映像チャネルがネットワークの遠端のＢ−ＲＡＳ１０２から、コア・ネットワーク１０４を介して、アクセス・ネットワーク１０６内へ送信される。コア・ネットワーク１０４は、エッジ・ルータ１０８を介してアクセス・ネットワークと通信する。エッジ・ルータ１０８は、非同期転送モード（ＡＴＭ）１１２、同期光ネットワーク（ＳＯＮＥＴ）、または同期デジタル・ヒエラルキー（ＳＤＨ）１１４を介して、アクセス・ネットワーク１０６のメトロ・コア１１０を通して、ネットワーク・ノード、またはさらに詳しくはＣＯ１１６と通信することをできる。ＳＯＮＥＴは光ファイバ・ネットワークでの同期データ伝送の米国バージョンであり、ＳＤＨは国際バージョンの標準である。エッジ・ルータ１０８は、アクセス・ネットワーク１０６のメトロ・コア１１０を通して、幾つかのＤＳＬＡＭ中央局との通信を提供することができる。ＤＳＬＡＭ中央局１１６は、例えばテレビ１２４、コンピュータ１２６、または電話１２８と使用するために、住宅１２０または職場１２２のＤＳＬモデム１１８と通信する。
【００１５】
図１に提示されたＤＳＬＡＭネットワークを通して、ＣＰＥ装置１２４、１２６、および１２８からＢ−ＲＡＳ１０２へ送信されかつＣＯ１１６によってインターセプトされた制御メッセージに応答して、ＤＳＬモデム１１８を通してＣＰＥ装置１２４、１２６、および１２８へ個別に配布するために、複数のデータ・チャネルをＣＯ１１６に伝送することができる。
【００１６】
今、図２を参照すると、図は、本発明の実施形態に係る一般的ＤＳＬＡＭ中央局のアーキテクチャを示す。これは、図１のＤＳＬＡＭ中央局１１６のより詳細な図とみなすことができる。アップリンク・カード２０２は、少なくとも１つのライン・カード２０４ａ、２０４ｂと通信する。この実施形態では、アップリンク・カード２０２は、例えばギガビット・メディア独立インタフェース（ＧＭＩＩ）またはシリアル・メディア独立インタフェース（ＳＭＩＩ）を通して、例えば光キャリア１２（ＯＣ−１２、６２２．０８Ｍｂｐｓ）または光キャリア３（ＯＣ−３、１５５．５２Ｍｂｐｓ）を通して、ＡＴＭまたはマルチプロトコル・ネットワーク・プロセッサ２０６におけるＤＳＬＡＭネットワークの上流コンポーネントとの通信をもたらす。
【００１７】
ネットワーク・プロセッサ２０６は、アップリンク・カード２０２内のバックプレーン装置２０８またはスイッチング・ファブリック２１０と通信することができる。バックプレーン装置２０８を有するアップリンク・カード２０２、およびスイッチング・ファブリック２１０を有するアップリンク・カード２０２は、本発明の２つの別個の実施形態を表わす。アップリンク・カード２０２にバックプレーン装置２０８が実現される場合、アップリンク・カード２０２は、各々バックプレーン装置２１２を有する１つまたはそれ以上のライン・カード２０４ａと通信する。バックプレーン装置２１２は、本発明を実現するために、プロセッサ２１４を利用することができる。バックプレーン装置２１２は、ＤＳＬモデム・ステーション２１６を介してＤＳＬモデムと通信する。ＤＳＬモデム・ステーション２１６を介する通信は、ＣＰＥ装置がライン・カード２０４ａによるインターセプトのための信号を提供し、要求されたデータ・チャネルを要求ＣＰＥ装置に伝送することを可能にする。
【００１８】
アップリンク・カード２０２にスイッチング・ファブリック２１０が実現される場合、アップリング・カード２０２は、各々ユニバーサル・ブリッジ（ＵＢ）２１８を含む、１つまたはそれ以上のライン・カード２０４ｂと通信する。ユニバーサル・ブリッジ２１８は、本発明の実現およびライン・カード２０４ｂのＤＳＬモデム・ステーション２１６との通信にプロセッサ２２０を利用する。ＤＳＬモデム・ステーション２１６、モデム、およびＣＰＥ装置は、ライン・カード２０４ａおよび２０４ｂを利用する実施形態で同様の機能を果たす。
【００１９】
図３に示すように、図は、本発明の実施形態に係る、図２の構成のより詳細な実現例を示す。さらに詳しくは、これは、アップリンク・カードにスイッチング・ファブリックを実現する一般的ＤＳＬＡＭ中心局の詳細な記述とみなすことができる。アップリンク・カード３０２はデータ・チャネルを受信し、図２のネットワーク・プロセッサ２０６に対応するネットワーク・プロセッサ３０６を通して、ユーザ・トラフィックを伝達する。ネットワーク・プロセッサ３０６は、米国ペンシルベニア州アレンタウンのアギア・システムズ・インコーポレーテッドから一般的に入手可能な部品ＡＰＰ５５０として実現することができる。ネットワーク・プロセッサ３０６はＵＢ３０８と通信し、それはスイッチング・ファブリック３１０と通信する。本発明のこの実施形態では、ＵＢ３０８は、部品ＵＢ２Ｇ５ＮＰとして実現することができ、スイッチング・ファブリック３１０は同じくアギア・システムズ・インコーポレーテッドから一般的に入手可能な部品ＰＩ４０ＳＡＸ、ＰＩ２０ＳＡＸとして実現することができる。アップリンク・カード３０２はクロック３１２をも含む。アップリンク・カード３０２は１つまたはそれ以上のライン・カード３０４にチャネルを送りながら、必要なユーザ・トラフィックの受信も行なう。
【００２０】
ライン・カード３０４ａにおいて、ＵＢ３１４ａはスイッチング・ファブリック３１０を通してアップリンク・カード３０２と通信する。ＵＢ３１４ａは、本発明を実現するために、ライン・カード３０４ａ内のＦＰＧＡ３１８ａおよびマイクロプロセッサ３２０ａとも通信する。ライン・カード３０４ａはＦＰＧＡ３１８ａを通してモデム３１６と通信する。チャネルはアップリンク・カード３０２からＦＰＧＡ３１８ａに送られ、制御メッセージはモデム３１６からＦＰＧＡ３１８ａに送られる。同様の通信システムは、ライン・カード３０４ｂ、ＵＢ３１４ｂ、ＦＰＧＡ３１８ｂ、およびマイクロプロセッサ３２０ｂに対しても存在する。ライン・カード３０４ａ、３０４ｂは両方ともそれぞれのクロック３２２ａ、３２２ｂをも含む。
【００２１】
プロセッサ３２０ａ、３２０ｂと通信するＦＰＧＡ３１８ａ、３１８ｂは、ライン・カード３０４ａ、３０４ｂの管理装置とみなすことができる。ライン・カードのそのような管理装置は、本発明を実現する集積回路装置の一例とみなすことができる。管理装置は、図４に示すようにテーブルを維持する。テーブルは、管理装置の内部メモリまたは関連外部メモリに格納することができる。テーブルは、特定のライン・カードのＣＰＥ装置におけるチャネル選択を示す。このテーブルは、適切なエンド・ユーザの要求データ・チャネルを提供し、かつ管理する。ＣＰＥ装置のエンド・ユーザがチャネルを切り替えると、ＣＰＥ装置は、遠端サーバつまりＢ−ＲＡＳに宛てられるように意図された制御メッセージ、例えばＩＧＭＰを発生する。ＣＯのライン・カード内の管理装置は制御メッセージをインターセプトし、それを使用してテーブルを動的に更新し、ＣＰＥ装置に要求されたチャネルを提供する。全てのデータ・チャネルはＣＯに送られ、かつ管理装置を含む個々のライン・カードに送られるので、管理装置はデータ・チャネルを提供することができる。
【００２２】
テーブルは、この実施形態ではＣＰＥ装置と管理装置との間の１対１のシグナリングを利用して、動的に更新される。ＣＰＥ装置から送信される制御装置からデータ・チャネルの識別番号を得なければならない。テーブルは、ＣＰＥ装置によって要求されかつそれに伝送されるデータ・チャネルのデータ・チャネルＩＤ、例えばＴＶチャネル番号を維持する。加えて、テーブルは、それがオンまたはオフのどちらであるかを示すために、ライン・カードに関連付けられた各ＣＰＥ装置のイネーブル／ディスエーブル・ビットを含む。テーブルのポート・カラムは、各住宅または職場のＤＳＬモデムを現す。図４のテーブルは、各々が各戸に４台のＣＰＥ装置、例えば４台のセットトップ・チャネル・ボックスをサポートすることのできる、１２４台のモデムを表わす。ライン・カードの管理装置の追加の実施形態は、４８または６４台のＤＳＬモデムを有するテーブルを維持することができる。
【００２３】
今、図５を参照すると、ブロック図は、本発明の実施形態に係るＦＰＧＡ装置の機能ブロックを示す。これは、図３のＦＰＧＡ装置３１８の詳細な記述とみなすことができる。下流信号は、アギア・システムズ・インコーポレーテッドから一般的に入手可能な部品ＵＢ２Ｇ５として実現することのできるＵＢから、ＵＢ受信インタフェース・ブロック５１０で受信される。ＵＢ受信インタフェース・ブロック５１０は、ＣＰＥ装置でのチャネル選択を示すテーブルのみならず、必要な場合、セル・ヘッダ変換テーブルをも維持する。キャプチャＦＩＦＯ５１２は、下述するようにバック・プレッシャ制御のためにＵＢから発生された信号を抽出し、マイクロプロセッサ・インタフェースに送信する。ＵＢ対モデム・インタフェース・ブロック５１４は、ＵＢ受信インタフェース・ブロック５１０からの送信を受信し、モデムを介して要求ＣＰＥ装置に要求チャネルを送信する。
【００２４】
モデムの受信インタフェースが輻輳する場合、モデムはモデムのオーバフローを回避するために、ＦＰＧＡ装置のポーリングを無視しなければならない。特に、バック・プレッシャがモデムＴＸＣＬＡＶから来る場合、ＦＰＧＡ装置はモデムにトラフィックを送信してはならず、個々のポート毎のバック・プレッシャ状態を維持しなければならない。ＦＰＧＡ装置が輻輳する場合、それはフロー制御メッセージＲＥＮＢを発生し、それを上流に送信する。
【００２５】
多重物理層（ＭＰＨＹ）受信インタフェース・ブロック５１８は、モデムを通してＣＰＥ装置から制御メッセージを受信する。モデム対ＵＢインタフェース・ブロック５２０はＭＰＨＹ受信インタフェース・ブロック５１８からの送信を受信し、ＵＢ２Ｇ５への送信のためにＴＭセルを発生する。挿入ＦＩＦＯ５２２は、バック・プレッシャ制御ブロック５１６およびマイクロプロセッサから発生された制御メッセージを挿入する。利用可能なポーリングされたＰＨＹ送信パケット（ＰＴＰＡ）もまた、ＵＢからモデム対ＵＢインタフェース・ブロック５２０で受信される。
【００２６】
図６に示す通り、流れ図は、本発明の実施形態に係るＤＳＬＡＭネットワークのライン・カードにおけるチャネル選択または切替方法論を示す。該方法論はブロック６１０で始まり、そこで複数のデータ・チャネルがデジタル・ネットワーキング・システムのデータ・サーバから１つまたはそれ以上のライン・カードの各々で受信される。ブロック６１２で、ＣＰＥ装置からの要求データ・チャネルに各々対応する１つまたはそれ以上の制御メッセージは、１つまたはそれ以上のライン・カードでインターセプトされる。ブロック６１４で、要求データ・チャネルおよび要求ＣＰＥ装置に関連するテーブルは、ライン・カードの集積回路装置を通して動的に更新される。最後に、ブロック６１６で、１つまたはそれ以上の要求データ・チャネルが、各ライン・カードの集積回路装置を通して、１つまたはそれ以上のライン・カードから１つまたはそれ以上のＣＰＥ装置に提供され、該方法論は終了する。該方法論は、ＤＳＬＡＭネットワークの各ライン・カードで受信された各制御メッセージに対し繰り返すことができる。
【００２７】
したがって、本書で述べた通り、本発明は例示的実施形態で、効果的なデータ・チャネル選択および切替技術を通して、ネットワークのエンド・ユーザにデータ・チャネルを提供する。
【００２８】
本発明の追加の実施形態は、複数のＣＯ、ＤＳＬモデム、およびＣＰＥ装置およびそれら多くの組合せを組み込むことができる。これらの実施形態はまた、ＣＯにおける単一のアップリンク・カードに関連付けられたライン・カードの様々な個数および組合せを組み込むこともできる。各ライン・カードにおける上述したテーブルは、ライン・カードが通信するモデムの台数、および各モデムに関連付けられたＣＰＥ装置の台数に基づく。したがって、追加の実施形態では、テーブルに提示されるポートおよびチャネルの個数も異なることができる。本発明の特定の実施形態では、ＦＰＧＡ装置の代わりにＡＳＩＣ装置を利用することができる。さらに、別のアプリケーションからのプロプライエタリ信号をＩＧＭＰの代わりに利用することができる。本発明は、いずれかの型の制御メッセージが使用されるときに、実現することができる。最後に、本発明は、例示的実施形態のＣＯのアップリンク・カード−ライン・カード構成に限定されない。本発明は、１つのライン・カードだけが利用される単一階層構成にも適用することができる。
【００２９】
上述の通り、本発明の管理装置は集積回路装置とみなすことができる。集積回路一般に関し、半導体ウェハの表面に複数の同一ダイが一般的に反復パターン状に形成される。各ダイは、他の構造または回路を含むことができる。個々のダイはウェハから裁断またはダイシングされ、次いで集積回路としてパッケージングされる。ウェハをいかにダイシングしかつパッケージングして集積回路を製造するかは、当業者には周知である。そのように製造された集積回路は、本発明の一部とみなされる。
【００３０】
したがって、本書では添付の図面に関連して本発明の例示的実施形態を説明したが、本発明はこれらの厳密な実施形態に限定されず、発明の範囲または精神から逸脱することなく、様々な他の変形および変更を当業者が施すことができることを理解されたい。
【図面の簡単な説明】
【００３１】
【図１】本発明の実施形態に係るＤＳＬＡＭネットワークを示す図である。
【図２】本発明の実施形態に係る一般的ＤＳＬＡＭ中央局のアーキテクチャを示す図である。
【図３】本発明の実施形態に係る図２の構成のより詳細な実現例を示す図である。
【図４】本発明の実施形態に係るＤＳＬＡＭネットワークにおけるＣＰＥ装置のチャネル選択を示す表である。
【図５】本発明の実施形態に係るＤＳＬＡＭネットワークにおけるＦＰＧＡ装置の機能ブロックを示す図である。
【図６】本発明の実施形態に係るＤＳＬＡＭネットワークにおけるチャネル選択または切替の方法論を示す流れ図である。
【図１】
2006157931.tif 000003
【図２】
2006157931.tif 000004
【図３】
2006157931.tif 000005
【図４】
2006157931.tif 000006
【図５】
2006157931.tif 000007
【図６】
2006157931.tif 000008